(57)【特許請求の範囲】
【請求項１】
検体を保持する検体ラックを搬送する検体搬送ラインと、該検体搬送ラインに関連して、前記検体を処理するよう組み合わされた各種の検体処理ユニットと、該検体処理ユニットの状態監視を行い、前記検体ラックの搬送を制御する制御装置と、前記検体処理ユニットの状態監視情報を表示する画面表示部とを備えた検体検査システムにおいて、
前記制御部は、問題の発生を知らせる情報を表示する複数の表示タグと、問題の詳細内容を表示する詳細情報表示部と、問題状況の確認または問題解決のための情報を表示する確認／解決表示部とを同一の画面上に備えた初期設定画面を前記画面表示部に表示し、
前記複数の表示タグは、前記初期設定画面上で常時表示される、分注のエラー情報を表示する分注エラータグと、異常データの情報を表示する異常データタグと、承認済データの情報を表示する承認済データタグとを含み、
前記詳細情報表示部は、前記表示タグに対応した検体ラックの詳細情報が表示され、
前記確認／解決表示部は、選択タグを介して選択可能な、検体搬送ラインで搬送される検体ラックの配列に対応した検体ラックの情報を表示する収納モニタ部と、検体ラックの履歴情報を表示する履歴データ表示部とを備え、
前記制御部は、前記表示タグの選択を受け付けて、前記詳細情報表示部に選択された表示タグに対応する詳細を情報表示し、
前記分注エラータグが選択された場合は前記確認／解決表示部に前記収納モニタ部を表示し、前記異常データタグまたは前記承認済データタグが選択された場合は前記確認／解決表示部に履歴データ表示部を表示する
ことを特徴とする検体検査システム。
【請求項２】
前記請求項１記載の検体検査システムにおいて、
前記前記履歴データ表示部に表示される情報は、前記詳細情報表示部で選択される検体ラックの履歴情報である
ことを特徴とする検体検査システム。
【請求項３】
前記請求項１または２記載の検体検査システムにおいて、
検体を保持する検体ラック
前記詳細情報表示部で表示される検体ラックの詳細情報は、検体IDとラック番号と被検者名を含んでいる
ことを特徴とする検体検査システム。
【請求項４】
前記請求項１から３記載の何れかの検体検査システムにおいて、
前記初期設定画面は、検体処理ユニットの状態表示を行うラインモニタ部と、検体ラックの検索項目を入力するための検体入力部と、アラームメッセージを表示するアラーム表示領域部を備えている
ことを特徴とする検体検査システム。
【請求項５】
前記請求項４記載の検体検査システムにおいて、
前記初期設定画面は、上部に前記検体入力部、最下部に前記アラーム表示領域部、左側にラインモニタ部を備えている。
ことを特徴とする検体検査システム。
【発明の詳細な説明】
【０００１】
【発明の属する技術分野】
本発明は検体処理システム、特に臨床検査分野において検体検査を自動的に行うのに適した検体検査システムおよび検体検査方法に関する。
【０００２】
【従来の技術】
通常の検体処理システムは、ラック搬送部が内蔵されている種々の処理ユニット（遠心分離，開栓，分注，バーコードラベリング，閉栓，分類，分析等）とそれらの処理ユニットを結合する搬送ラインとを含み、処理ユニットと処理ユニット，搬送ラインと処理ユニット、あるいは搬送ラインと搬送ラインを直列に接続して処理システムを構築している。
【０００３】
特開平10−62426 号公報には、複数の処理装置と、前記複数の処理装置により処理を受ける少なくとも一つの被処理体と、を有し、前記複数の処理装置と前記被処理体が、情報処理手段，記憶手段、および通信手段を備え、前記複数の処理装置についての情報に基づいて前記被処理体が処理手順を決め、前記処理手順に基づいて前記複数の処理装置が前記被処理体に処理操作を行うこと、前記被処理体が試料を収納する試料容器であり、前記処理操作が、受入操作，一時保管操作，搬送操作，待避操作，収納操作，遠心分離操作，開栓操作，分注操作，試料の分析操作、または分析のための処理操作である自動化処理システムが記載されている。
【０００４】
特開平4−32967号公報には、検査依頼入力部と、検査検体受付部と各分析計からの検査結果入力部と検査依頼情報記憶部と検査結果記憶部およびこれらの情報をモニタ可能な表示部より成る臨床検査情報総合システムにおいて、
各検体の依頼情報と検査結果を常にチェックするソフトウェアを有することにより、検査工程の進捗度管理を実施する臨床検査総合情報システムが記載されている。
【０００５】
【発明が解決しようとする課題】
本発明は、ユーザが対応する必要のある情報を纏めて表示し、操作の中心となし、情報を階層にして提示することができ、以って正確に，早く，簡単に、医師に正しいデータを報告することのできる検体検査システムおよび検体検査方法を提供することを目的とする。
【０００６】
【課題を解決するための手段】
ユーザが対応する必要のある情報のみを表示するように考えた場合、ユーザが端末で確認した後、機器に移動して対応するもの（分注エラー等）と、端末で判断するもの（異常データの確認等）の２つが考えられる。
【０００７】
この２点を中心に画面表示を考え、標準業務と位置づける。
【０００８】
また、優先業務として医師からの問い合わせを考える。
【０００９】
情報を提示する階層の切り分けは、１次情報から４次情報までに分ける。
【００１０】
１次情報では、何か起こったことのみをユーザに提示する。そのことによって、画面の初期状態をシンプルにし、情報のメリハリを付けることができる。
【００１１】
２次情報は起こった内容の詳細確認として、ユーザが能動的に情報を取得する。
【００１２】
３次情報は、２次情報で得た内容に対し、端末で対応する内容（分析精度，患者履歴による確認）を表す。
【００１３】
４次情報は端末から離れて対応する内容（親検体の収納場所確認等）を表す。
【００１４】
業務上中心となる内容を、分注エラー，異常データの確認医師からの問い合わせの３点と考え、以下に各操作の流れを説明する。
【００１５】
○分注エラー
分注エラーは、まず分注エラーがあったことを提示し、ユーザに気付いてもらう（１次情報）。その後、分注エラーの詳細を、ユーザが能動的に確認して（２次情報）、その内容を判断して、親検体の収納場所に向かう（４次情報）。３次情報は分注エラーの場合は存在しない。
【００１６】
手分注が必要な場合は、その後で子検体（ラック）の登録を行う。
【００１７】
○異常データの確認
異常データの確認は、まず異常データがあったことを提示し、ユーザに気付いてもらう（１次情報）。その後、異常データの詳細を、ユーザが能動的に確認する（２次情報）。内容を判断する基準として、患者履歴，分析精度の情報を使う（３次情報）。そして分析データが有効と判断した場合はそのままデータを送信する。分析データが無効と判断した場合は、再検の場合は親検体の収納場所を確認する（４次情報）。分析精度を確認する場合はコントロール検体を投入する。
【００１８】
手分注が必要な場合は、その後で子検体（ラック）の登録を行う。
【００１９】
○医師からの問い合わせ対応
医師からの問い合わせ対応は、突然発生する業務である。
【００２０】
内容は、報告されたデータはおかしくないか、いつデータが報告されるのかといった２点の頻度が高い。
【００２１】
手順は、まず、問い合わせ患者の検索からはじまり、その検索結果を報告する（１次情報）。場合によっては承認済データの詳細確認をして報告をする（２次情報）。
【００２２】
本発明は、多量の情報量をユーザに提供するために、次に記載する装置および方法を提供する。
【００２３】
本発明は、検体を保持する検体ラックを搬送する検体搬送ラインと、該検体搬送ラインに関連して、前記検体を処理するよう組み合わされた各種の検体処理ユニットと、および該検体処理ユニットの状態監視を行い、前記検体ラックの搬送を制御する制御装置とを備えた検体検査システムにおいて、問題の発生を知らせる１次情報としての分注エラーの発生と異常データの発生とデータの検索要求の表示、および問題の詳細内容，問題状況の確認または問題解決のための情報である次次情報の表示を同一画面に行う検体検査システムを提供する。
【００２４】
本発明は、検体を保持する検体ラックを搬送する検体搬送ラインと、該検体搬送ラインに関連して、前記検体を処理するよう組み合わされた各種の検体処理ユニットと、および該検体処理ユニットの状態監視を行い、前記検体ラックの搬送を制御する制御装置とを備えた検体検査システムにおいて、問題の発生を知らせる１次情報としての分注エラーの発生と異常データの発生とデータの検索要求の表示、および分注エラーの詳細情報である２次情報の表示を同一画面に行う検体検査システムを提供する。
【００２５】
本発明は、検体を保持する検体ラックを搬送する検体搬送ラインと、該検体搬送ラインに関連して、前記検体を処理するよう組み合わされた各種の検体処理ユニットと、および該検体処理ユニットの状態監視を行い、前記検体ラックの搬送を制御する制御装置とを備えた検体検査システムにおいて、前記検体処理ユニットの一つが検体の収納部であり、該収納部には、前記検体ラックが複数個整列配設され、問題の発生を知らせる１次情報としての分注エラーの発生と、異常データの発生とデータの検索要求の表示、および該複数個の検体ラックに収納された各検体についてその配列場所に対応した検体表示を同一画面に行い、かつ分注エラーデータと判断された検体について他の検体とは識別するための識別表示を行う検体検査システムを提供する。
【００２６】
本発明は、検体を保持する検体ラックを搬送する検体搬送ラインと、該検体搬送ラインに関連して、前記検体を処理するよう組み合わされた各種の検体処理ユニットと、および該検体処理ユニットの状態監視を行い、前記検体ラックの搬送を制御する制御装置とを備えた検体検査システムにおいて、問題の発生を知らせる１次情報としての分注エラーの発生と異常データの発生とデータの検索要求の表示、および異常データの詳細情報である２次情報の表示を同一画面に行う検体検査システムを提供する。
【００２７】
更に、表示された２次情報の一つとの関係を示して、該情報についての患者履歴データの表示を同一画面に行うようにしてもよい。
【００２８】
更に、前記検体処理ユニットの一つが検体の収納部であり、該収納部には、複数の検体を収納して一単位の検体ラックが複数個整列配設され、問題の発生を知らせる１次情報としての分注エラーの発生と異常データの発生とデータの検索要求の表示、および該複数個の検体ラックに収納された各検体についてその配置場所に対応した検体表示を同一画面に行い、かつ異常データと判断された検体について他の検体とは識別するための識別表示を行う検体検査システムとしてもよい。
【００２９】
本発明は、検体を保持する検体ラックを搬送する検体搬送ラインと、該検体搬送ラインに関連して、前記検体を処理するよう組み合わされた各種の検体処理ユニットと、および該検体処理ユニットの状態監視を行い、前記検体ラックの搬送を制御する制御装置とを備えた検体検査システムにおいて、問題の発生を知らせる１次情報としての分注エラーの発生と異常データの発生とデータの検索要求の表示、および承認済データの詳細情報である２次情報の表示を同一画面に行う検体検査システムを提供する。
【００３０】
更に、表示された２次情報の一つとの関係を示して、該情報についての患者履歴データの表示を同一画面に行うようにすることができる。
【００３１】
本発明は、検体を保持する検体ラックを搬送する検体搬送ラインと、該検体搬送ラインに関連して、前記検体を処理するよう組み合わされた各種の検体処理ユニットと、および該検体処理ユニットの状態監視を行い、前記検体ラックの搬送を制御する制御装置とを備えた検体検査システムにおいて、前記検体処理ユニットの一つが検体の収納部であり、該収納部には、前記検体ラックが複数個整列配設され、問題の発生を知らせる１次情報としての分注エラーの発生と、異常データの発生とデータの検索要求の表示、および該複数個の検体ラックに収納された各検体についてその配置場所に対応して検体表示を行い、かつ承認済データの中の要求された検体について他の検体とは識別するための識別表示を行う検体検査システムを提供する。
【００３２】
本発明は、検体を保持する検体ラックを搬送する検体搬送ラインと、該検体搬送ラインに関連して、前記検体を処理するよう組み合わされた各種の検体処理ユニットと、および該検体処理ユニットの状態監視を行い、前記検体ラックの搬送を制御する制御装置とを備えた検体検査システムを使用した検体検査方法において、問題の発生を知らせる１次情報としての分注エラーの発生，異常データの発生およびデータの検索要求のタグ表示を行い、該タグの選択によって、分注エラーの詳細情報，異常データの詳細確認または承認済データの詳細確認できる２次情報の表示を同一画面に行う検索検査方法を提供する。
【００３３】
更に前記２次情報についての表示タグを選択することによって、選択された検体の収納場所の確認表示を同一画面に行う検体検査方法とすることができる。
【００３４】
【発明の実施の形態】
以下、本発明にかかる１実施例を図面に基づいて説明する。
【００３５】
図１は検体処理システムの主要部の概念図である。検体処理システムは、搬送ライン１と、コア検体投入部１ａ，遠心分離モジュール３，開栓モジュール４，オンライン分析モジュール５，バーコード貼付モジュール６，閉栓モジュール７，検体分類モジュール８，オフライン分注モジュールまたは分析モジュール９といった検体処理ユニットとを含む。コア検体投入部１ａの一般検体架設部１１に検体をのせた（保持した）検体ラック１０をセットし、また緊急検体架設部１２に緊急検体をのせた（保持した）検体ラック１０をセットした上で処理がスタートする。一般検体架設部１１から搬送する検体ラック１０よりも、緊急検体架設部１２から搬送する検体ラック１０が優先して搬送される。
【００３６】
搬送された検体ラック１０が読み取り部１５に送られると、そこでそのラック種別（ラックＩＤ）および検体認識（識別）番号（検体番号，検体ＩＤ）が読み取られ、通信を行って、搬送ライン１を制御する中央制御部１７（図３参照）に登録される。読み取りエラーが発生した検体ラック１０はラック取出しバッファー部１６に取出され、そのため再度一般検体架設部１１からその検体ラック１０を投入することができる。中央制御部１７にラック情報を登録した検体ラックは次の搬送ライン１ｂに搬送される。
【００３７】
遠心分離ユニット３に立ち寄るべき検体ラック１０はまずバッファーユニット２ａに収納される。検体ラック１０はラック満杯になるか、あるいは予め設定しているタイムアウト時間になるかのいずれかにより、１ラックずつ連続して次の搬送ライン１ｂに搬送される。検体ラックが遠心分離モジュール３に接続する搬送ライン１ｂの任意の位置に搬送されると、遠心分離モジュール３のハンドリングにより１ラックずつ遠心分離モジュール３内に搬入される。搬入された検体ラックは予め設定している遠心時間だけ遠心分離処理され、搬入した任意の位置に１ラックずつ搬出される。
【００３８】
遠心分離モジュール３に立ち寄らない検体ラック１０はバッファーユニット２ａに立ち寄らずに遠心分離モジュール３に接続する搬送ライン１ｂに搬送される。バッファーユニット２ａは、遠心処理中に次に遠心処理する検体ラックの処理を終了させ、待機ラックにして処理速度を向上させるために設けてある。
【００３９】
次に、開栓モジュール４に立ち寄るべき検体ラック１０は開栓モジュール４及び開栓モジュール４に接続する搬送ライン１ｂに検体ラック１０があれば、バッファーユニット２ｂに収納される。遠心分離モジュール３は、最大８ラックを一度に遠心分離するため、搬入，搬出は連続して実施される。このため、搬出時、搬送ライン１ｂが停滞しないように、バッファーユニット２ｂが設けられている。開栓モジュール４及び開栓モジュール４に接続する搬送ライン１ｂに検体ラック１０がなければ、検体ラック１０は開栓モジュール４に接続する搬送ライン１ｂに搬送され、開栓モジュール４内に搬入される。試験管の栓を抜いた後、検体ラック１０は開栓モジュール４に接続する搬送ライン１ｂに搬出される。開栓モジュール４に立ち寄せない検体ラック１０は開栓モジュール４に接続する搬送ライン１ｂに搬送される。
【００４０】
次に、オンライン分注モジュール５に立ち寄るべき検体ラック１０は、オンライン分注モジュール５に接続する搬送ライン１ｂに検体ラック１０がなければ、オンライン分注モジュール５に接続する搬送ライン１ｂに搬送され、オンライン分注モジュール５内に搬入される。オンライン分注モジュール５内では、吸引した血清を吐出するための空試験管または空カップをのせた（保持した）試験ラック１９を投入口１８にセットし、予め吐出ポジションに待機させておく。この状態で搬送ライン１ｂからオンライン分注モジュール５内に立ち寄った検体ラック１０については、中央制御部１７からの指示により依頼のある検体のみについて分注が実施される。分注終了後、検体ラック１０はオンライン分注モジュール５に接続する搬送ライン１ｂに搬出される。また、分注して作られた子検体ラック１９も搬出される。オンライン分注モジュール５に立ち寄らない検体ラック１０はオンライン分注モジュール５に接続する搬送ライン１ｂに搬送される。
【００４１】
次に、バーコード貼付モジュール６に立ち寄るべき検体ラック１０はバーコード貼付モジュール６に接続する搬送ライン１ｂに搬送され、バーコード貼付モジュール６に搬入される。搬入された検体ラック１０の各試験管には分注した検体と全く同じ検体認識番号が貼り付けられ、読み取り確認後、バーコード貼付モジュールに接続する搬送ライン１ｂに搬出される。バーコード貼付モジュール６に立ち寄らない検体ラック１０はバーコード貼付モジュール６に接続する搬送ライン１ｂに搬送される。
【００４２】
次に、閉栓モジュール７に立ち寄るべき検体ラック１０は閉栓モジュール７に接続する搬送ライン１ｂに搬送され、閉栓モジュール７に搬入される。搬入した各試験管に栓をして閉栓モジュール７に接続する搬送ライン１ｂに搬出される。閉栓モジュール７に立ち寄らない検体ラック１０は閉栓モジュール７に接続する搬送ライン１ｂに搬送される。
【００４３】
次に、検体分類モジュール８に立ち寄るべき検体ラック１０は該検体分類モジュール８に接続する搬送ライン１ｂに搬送され、検体分類モジュール８に搬入される。搬入した検体ラック１０の試験管のうち依頼のある試験管のみが指定ポジションに移載され、移載終了後、検体分類モジュール８に接続する搬送ライン１ｂに搬出される。検体分類モジュール８に立ち寄らない検体ラック１０は検体分類モジュール８に接続する搬送ライン１ｂに搬送される。
【００４４】
次に、オフライン分注モジュール９に立ち寄るべき検体ラック１０はオフライン分注モジュール９に接続する搬送ライン１ｂに搬入され、依頼のある検体のみ指定の容器に分注され、分注終了後に、オフライン分注モジュール９に接続する搬送ライン１ｂに搬送される。立ち寄らない検体ラック１０は次の搬送ライン１ｂに搬出される。また、分析モジュール９に立ち寄る検体ラック１０は分析モジュール９に接続する搬送ライン１ｂに搬入され、依頼のある検体のみ指定の容器に分注，分析され、その終了後に、分析モジュール９に接続する搬送ライン１ｂに搬送される。立ち寄らない検体ラック１０は次の搬送ライン１ｂに搬出され、次の搬送ライン収納部１ｃに搬出される。リセット処理，開栓エラーにてデフォルトバッファー部１４に出された検体ラック１０は優先検体架設部１３に搬送され、処理がスタートする。優先検体架設部１３にセットした検体ラック１０は搬送ライン収納部１ｃから搬送ライン１ｂに搬送され、緊急検体架設部１２に搬送される。以下、緊急検体架設部１２からの検体ラック１０の流れは前述と同様である。
【００４５】
コア検体投入部１ａおよび搬送ライン１ｂおよび収納部１ｃは中央制御部１７によって制御されており、中央制御部１７は後述の処理依頼項目入力器と処理結果出力器とパラメータ入力器に通信ケーブル２３で接続される。中央制御部１７は処理依頼項目入力器で入力された依頼内容に基づきラックを、投入部１ａから搬送ライン１ｂに、また搬送ライン１ｂから各検体処理モジュールまたは収納部１ｃに送り、収納部１ｃは各処理ユニットから搬送ライン１ｂを通って送られてくる検体ラックを収納する。収納部１ｃは、デフォルト部とラック収納部とからなる。投入部１ａ及び各検体処理ユニットはそれぞれの内部にユニット制御部（図示せず）を持ち中央制御部１７と情報交換を行うために通信ケーブル接続されている。
【００４６】
各ユニット制御部は独立して動作しているが、中央制御部１７との間で検体ラックの受け渡しが行われるときには、各ユニット制御部が検体ラックを送り出せるという要求（以下搬出可能要求と称す）および検体ラックを受け取れるという要求（以下搬入可能要求と称す）を通信ケーブルを介して中央制御部１７に報告し、中央制御部１７はそれらの要求の中から一組を選択し、搬送ライン１ｂの制御を行うと同時に上記通信ケーブルを通して各ユニット制御部に指示を出し、協調して検体ラックをやり取りを行う。
【００４７】
図２は検体処理システムの主要部の、処理ユニットを搬送ラインから切り離した状態を示す概念図である。搬送ライン１ｂはバッファーユニット２ａ，２ｂ，遠心分離モジュール３，開栓モジュール４，オンライン分注モジュール５，バーコード貼付モジュール６，閉栓モジュール７，分類モジュール８，オフライン分注モジュールまたは分析モジュール９とそれぞれペアをなす搬送ラインユニットを含み、その幅（検体ラック搬送方向の寸法）はペアをなしている処理ユニットの幅と同じにされている。処理ユニットはシステム構成に応じてそれぞれ図のように搬送ライン１ｂから矢印４０方向に切り離すことができる。処理ユニットを切り離した状態では、検体ラックはその切り離した処理ユニットには立ち寄らず、その切り離した処理ユニットとペアをなしている搬送ラインユニットを通過するだけである。なお、図中、矢印付の点線は処理ユニットが搬送ライン１ｂに組み込まれているときの検体ラックの移動（搬送）ルートを示す。
【００４８】
図３は検体処理システムのブロック概念図である。搬送ライン１を構成する搬送ラインユニットの各々は両隣の搬送ラインユニットとの交信（通信）と、ペアをなす処理ユニットとの交信と、中央制御部１７との交信とをそれぞれ行っている。この交信により、検体ラックの処理ユニットへの立ち寄りは、処理ユニットが検体ラックを受入れ可能であることの、中央制御部１７による確認を得た上で、中央制御部１７による搬送ライン１の制御のもとに実行される。オンライン分注モジュール５およびオフライン分注モジュール９は中央制御部１７と分注情報について交信を行っている。バーコード貼付モジュール６は中央制御部１７とラベル印字情報について交信を行っている。さらに、検体分類モジュール８は分類情報について、分析モジュール９は分注および分析情報について中央制御部１７とそれぞれ交信を行っている。１６はラック取出しバッファ部である。
【００４９】
図１におけるシステムは、制御部２０、記憶部２０Ａを有するコンピュータからなる中央制御部１７と、この中央制御部１７に接続された操作入力部２１及び画面表示部２２を備える。
【００５０】
各検体に対する搬送先登録や検体情報の入力は、操作入力部２１を通して行われる。制御部２０は、病院などの施設における上位のコンピュータと接続可能であり、この場合、各検体のための測定項目を含む検体情報は上位のコンピュータから制御部２０にダウンロードされる。コア検体投入部１ａ，オフライン分注モジュールまたは分析モジュール９などの各検体処理ユニットはそれぞれコンピュータを内蔵しており、中央制御部１７との間で通信回線を介して情報交換される。
【００５１】
コア検体投入部１ａは、搬送ライン１の手前に図示しない検体ＩＤバーコードリーダ（検体識別子検出手段）と、ラックＩＤバーコードリーダ（ラック識別子検出手段）を備えている。検体ＩＤバーコードリーダで読み取った検体ＩＤと、ラックＩＤバーコードリーダで読み取ったラックＩＤは、通信ケーブル２３を介して中央制御部１７に送信される。中央制御部１７はこれらの情報を基にラック搬送先情報を作成し、コア検体投入部１ａを介して搬送指示を送る。
【００５２】
各種前処理用の検体処理ユニットには、前述のように、遠心分離モジュール３，開栓モジュール４，閉栓モジュール７，オンライン分注モジュール９または検体分類モジュール８，バーコード貼付モジュール６などがある。各種前処理ユニットはそれぞれ搬送ライン１との間でラックの移動ができるように配置される。検体ラック１０が搬送ライン１に搬送されると、各搬送ライン区分にあるラックＩＤバーコードリーダでラックＩＤを読み取り、中央制御部１７に読み取ったラックＩＤを転送する。中央制御部１７では、前記ラックＩＤより、搬送ライン１に接続されている各種前処理ユニットに前記ラックを搬入するか否かを判断し、その指示を搬送ライン区分に送る。
【００５３】
検体処理ユニットの組み合わせの例として、ここでは、遠心分離モジュール３，親検体容器の栓を外す開栓モジュール４，検体の一部を一方の容器から他方の容器へ分注する分注モジュール５，検体容器にバーコード貼付モジュール６であるとする。また、コア検体投入部１ａに提供される検体は全血であり、分注される検体は血清又は血漿であるとする。
【００５４】
次に、中央制御部１７が具備する検体情報データベースとラック情報データベースについて、図４，図５を参照して説明する。
【００５５】
中央制御部１７は、検体ＩＤをキー情報として制御部２０内部の記憶部２０Ａに検体情報データベース２４とラック情報データベース２６を保管する。
【００５６】
検体情報データベースを図４に示す。検体情報データベース２４には、検体の測定項目名と測定項目数を保持する。測定項目を含む検体情報データベースは、通常、上位コンピュータから中央制御部１７にダウンロードされ保存される。また、操作入力部２１より、直接、測定項目を含む検体情報データベースの内容を入力することもできる。ラックＩＤは、バーコードリーダによる読み取り後に記憶される。
【００５７】
ラック情報データベースを図５に示す。ラック情報データベース２６には、ラックの搬送先情報（ラック搬送先情報）を保持する。
【００５８】
次に、画面表示部２２に表示される搬送先情報設定画面を、図６を参照して説明する。図６に示す搬送先情報設定画面２７からの指示により、測定項目毎にどの処理ユニットに搬送するか（搬送先情報）を登録及び変更することができる。
【００５９】
画面の横方向には、検体処理システムに接続されている各種処理装置（各種前処理ユニット，各種分析ユニットなど）が表わされ、縦方向には測定項目が表わされる。図６では、各種処理装置は、遠心分離モジュール，開栓機モジュール，オンライン分注モジュール，分類モジュールと分析モジュール１台である。また、測定項目には、１から順に番号が割り当てられている。
【００６０】
中央制御部１７の記憶部２０Ａには、図１のようなシステムを構成している各検体処理システムの情報を保持したシステム構成情報テーブルを記憶し、このシステム構成情報をもとに搬送先情報設定画面２７に表示し、また、入力されたデータを構成テーブルに反映させる。
【００６１】
搬送先情報設定画面２７の各測定項目に対して、搬送先としての検体処理ユニットに該当する欄に‘１’を入力する。搬送不要の場合は該当欄に‘０’を入力する。ここで入力された情報は、図７に示す記憶テーブルに記憶される。図７において、横方向に検体処理システムに接続されている各種検体処理ユニット（各種前処理ユニット，各種分析ユニットなど）を配置順に左から順に対応させている。また、図７の縦方向は測定項目であり、上から順に測定項目１，測定項目２，…、に対応している。
【００６２】
図６のような画面に代えて、よりグラフィカルなインターフェースとして該当欄にボタンを設け搬送させる場合は、マウスなどのポインティングデバイスでボタンをＯＮにし、搬送させない場合はボタンをＯＦＦにすることも可能である。
【００６３】
また、搬送先のパターンが予め数パターンと決まっているのであれば、搬送先パターンを登録したテーブルを別に作成し、画面から搬送パターン番号を入力、または、マウスなどのポインティングデバイスを使ってパターンリストから該当パターンを選択することも可能である。
【００６４】
また、分注ユニットに搬送する場合は、‘１’の代わりに分注先ラインの番号を入力すれば、図７のテーブルには搬送指示のみならず、分注先情報をも同時に持たせることが可能である。
【００６５】
また、同じように分類ユニットにおいて、‘１’の代わりに分類先の番号を入力すれば、図７のテーブルに分類先情報をも同時に持たせることが可能である。
【００６６】
図８に示す搬送先情報設定画面２７の例は、同じ搬送先情報の複数の測定項目をグループ化して、そのグループに対して搬送先情報の設定をするものである。
【００６７】
次に、図９と図１０を参照して、ラックが供給部に投入されてからの処理フローを説明する。
【００６８】
図９は、コア検体投入部１ａにおける処理フローを示した図である。Ｓ１では、検体ラック１０がコア検体投入部１ａに架設されると、検体ＩＤバーコードリーダで検体ラック１０に貼り付けしてある検体ＩＤバーコードを読み取り、読み取った検体ＩＤを中央制御部１７に送信する。Ｓ２では、検体ＩＤを受け取った中央制御部１７が、検体ＩＤをキー情報として検体情報データベース２４を検索し、測定項目を検体情報データベース２４より抽出する。Ｓ３では、抽出された測定項目をキー情報として、測定項目対搬送先記憶テーブル２５を検索し、搬送先情報を抽出する。Ｓ４では、搬送先情報が全部抽出されたかチェックする。測定項目が２項目以上ある場合は、Ｓ２からＳ４を繰り返し、検体ラック１０に検体が２本以上保持されている場合は、Ｓ５においてＳ１からＳ４を繰り返す。全ての搬送先情報のＯＲを取り終わった（Ｓ６）結果がその検体ラック１０のラック搬送先情報Ｓ７となる。つまり全ての搬送先情報の和集合がラック搬送先情報Ｓ７となる。
【００６９】
コア検体投入部１ａでは、さらに、ラック１Ｄバーコードリーダにより検体ラック１０に貼り付けされているラック１Ｄを読み取り、読み取ったラックＩＤを中央制御部１７に送信する。前記中央制御部１７は、受け取ったラックＩＤをキー情報としてラック情報データベース２６を作成し、ラック搬送先情報を格納する。
【００７０】
図１０に搬送ラインでの処理フロー図を示す。検体ラック１０が搬送ライン１に搬出されると、ラックＩＤバーコードリーダでラックＩＤバーコードを読み取り（Ｓ１０）、読み取ったラックＩＤは中央制御部１７に送信される。中央制御部１７では、受け取ったラックＩＤをキー情報として、ラック情報データベース２６を検索して、ラック搬送先情報を抽出（Ｓ１１）する。該ラック搬送先情報を基に、搬送ライン１ｂに接続されている各検体処理ユニットへの検体ラック１０の搬入が行われる。
【００７１】
ここで、遠心分離モジュールに検体ラックを搬送する場合、検体によっては遠心分離を必要とする検体と必要としない検体が存在する。この場合、中央制御部１７にロジックを組み、遠心処理を必要とする検体と必要としない検体が同一ラックに混在していれば、そのラックをラック回収部に直接搬送し、アラームを発生し、その旨を報告する。
【００７２】
図１１は、検査室における主な業務の作業フローを示す。主な業務としては、分注エラー処理３１，異常データ処理３２，問い合わせ対応３３がある。それぞれに必要な情報は第１−４次情報３４〜３７に分類することができる。１次情報３４は、問題の発生を知らせる情報であり、２次情報３５は、問題の詳細内容を示す情報であり、３次情報３６は、問題状況の確認を示す情報であり、そして４次情報３７は、問題解決のための情報である。２次情報から４次情報を含めて次次情報と称する。
【００７３】
図において、太線枠で示す分注エラー処理３１，異常データ処理３２，問い合わせ対応３３は各業務時に同時に参照したい要素であり、太点線枠で示す常時画面表示３８（常時画面上に表示しておきたい内容情報）は常時モニタリングして表示しておく要素である。これには分注エラーの発生４１，異常データの発生４２，データの検索要求４３が含まれる。更に、これにはラインモニタ４４およびアラームメッセージ４５を含めることができる。
【００７４】
２次情報には分注エラーの詳細情報４６，異常データの詳細確認情報４７および承認済データの詳細確認情報４８が含まれる。３次情報には異常データ処理３２についての患者履歴の確認情報５１および問い合わせ対応３３についての患者履歴の確認情報５２が含まれる。４次情報には分注エラー処理３１の親検体の収納場所確認情報５３，異常データ処理３２の親検体の収納場所確認情報５４および問い合わせ対応３３の親検体の収納場所確認情報５５が含まれる。
【００７５】
医師からの問い合わせ６０によってデータの検索要求４３がなされる。
【００７６】
図に示すように異常データの詳細確認情報４７が表示され、その一部の異常データについて次々に患者履歴の確認情報５１の表示およびその異常データについての親検体の収納場所確認情報５４の表示がなされる。承認済データの詳細確認情報４８が表示され、その一部の承認済データについて次々に患者履歴の確認情報５２の表示およびその承認済データについての親検体の収納場所確認情報５５の表示がなされる。
【００７７】
図１２は、画面図との対応関係をアルファベットＡ，Ｂ，Ｃ，Ｄで示し、Ａは図１３に、Ｂは図１４に、Ｃは図１５にそしてＤは図１６に関係する。尚、Ａは分注エラー処理３１に、Ｂは異常データ処理３２に、Ｄは問い合わせ対応３３に、Ｃは親検体の収納場所確認情報に関係している。
【００７８】
図１３は、初期設定画面に分注エラータグを選択した場合の分注エラー画面である。初期設定画面には検索入力としての項目検索ＳＥＱ６１，検体ＩＤ６２，氏名６３が表示され、画面の左端には搬送ライン１ｂに沿って構成された順に投入６４，遠心分離６５，開栓６６，オンライン分注６７，閉栓６８，分類６９，オフライン分注７０および収納７１からなるラインモニタが表示される。検索入力の領域に検索タグ７２が設けられれる。画面のほぼ中央部に分注エラータグ７３，異常データタグ７４，承認済データタグ７５および全データタグ７６が設けられる。分注エラータグ７３を選択した時の初期設定画面には収納モニタ８１が表示される。収納モニタ８１にはデフォルト８２，収納１部８３および収納２部８４が表示される。デフォルト８２，収納１部８３および収納２部８４は、図１における搬送ライン収納部１ｂの構成に対応しており、搬送ライン収納部１ｂに収納された検体ラックの配列に対応して検体ラック表示８５がなされている。１つの検体ラックに５つの検体が収納されている。従って、１つの検体ラック表示８５は５つの検体表示８６から成る。このように収納モニタは図１の実機の検体ラックとの位置関係を合致するものとしている。
【００７９】
収納モニタ８１は実機の位置関係と合致しているために、搬送ライン収納部１ｂから当該ラックを探すのに便利である。
【００８０】
画面には収納モニタ８１が表示され、分注エラータグ７３，異常データタグ７４，承認済データタグ７５および全データダグ７６にそれぞれのデータ、例えば３，１０，１３２および１４２が表示された例が載せてある。分注エラーが３件有り、氏名山田和夫，鈴木幸子，佐藤孝司三人の検索ＳＥＱ，検体ＩＤ，ラック番号が画面に表示される。ラック番号００６８，００６８，００８３は検体ラックのラベルに付けた番号であり、その枝番は検体ラックに保存された検体番号である。図において太枠で囲まれた山田和夫の検体ラックの位置は、収納モニタ８１においてやはり太枠で示されている。色で識別してもよい。ラインモニタでは開栓モジュール４に異常があることを開栓６８の点燈表示が示している。この表示ボタンを押せず開栓状況モニタリング画面（図示せず）に行くことができる。画面の最下部のアラーム表示領域８７には２件のアラーム８８，８９が表示されている。オンライン分注エラーが生じたことに対処処理を収納モニタに表示された山田和夫の検体に施すと該分注エラーは点燈は消滅する。
【００８１】
図１４は、初期設定画面に異常データタグ７４を選択した場合の異常データ画面である。画面上に分注エラータグ７３，異常データタグ７４，承認済データタグ７５，全データタグ７６が表示されていることは図１３と同じであるが、異常データタグ７４は他のタグから目立たさせるための識別表示とされている。異常データ画面には履歴データ９１が表示される。収納モニタ８１ではなく、履歴データ９１であることを示すための識別表示がなされる。
【００８２】
図において、異常データタグ７４には１０件の数値が異常データの量の存在を示している。その下の領域には氏名田中亜季，横山淳，篠原広一，清水芳子の検索ＳＥＱ，検体ＩＤ，ラック番号が示される。他の６名は他の頁に保存されており前頁ボタン９２，次頁ボタン９３を押すことによってそれぞれ画面に表示することができる。履歴データ９１には、検査項目，再検値，初検値および前回値を示すデータ表示領域９４が設けており、その左端値には承認ボタン９５，再検ボタン９６，確定ボタン９７および取消ボタン９８が設けてあり、それぞれの指示を行うことができるようにしてある。検査検目ＴＰ，ＡＬＢ，ＴＴＴ，ＺＴＴ，ＧＯＴ，ＧＰＴ，ＬＤＨ，ＡＬＰ，ＣｈＥ，ＣＫ等は当分野において周知のことであり詳述を要さない。検査項目はこれらには限定されない。
【００８３】
図面には、横山淳のデータが選択されたアイテムであることと共に、履歴データ９１にその詳細が表示されている。ここで、前回値等を参考に、初期値に問題あれば再検ボタン９６、なければ確定ボタン９７が押され、再検あるいは確定がなされる。項目ＬＤＨは、再検値および初期値が白枠の三角形状で示してあり、再検値あるいは初期値のいずれかを任意に確定することができる。又は、更に再検することができる。全データについて納得いくものになったときに、承認ボタン９５を押すとすべての全データが承認される。取消したい場合には取消ボタン９８を押す。塗りつぶした三角形状はパニック値上限を超えたこと、白枠の三角形状は標準値上限を超えたことを示している。図示されていないが、パニック値下限を超えたとき、標準値下限を超えたときはそれぞれ前述したように塗りつぶした三角形状、白枠の三角形状で示すこととしている。それぞれの上下限値を超えた検体は収納モニタ８１上に色別して表示可能とされる。
【００８４】
図１５は収納モニタ８１に色別して表示した例を示す。異常データタグ７４を選択したときにも収納モニタ８１を選択することによって収納モニタ８１を表示することができる。これは承認済データタグ７５，全データタグ７６を選択した場合も同様である。当画面において、横山淳のデータが太枠で示され、これに関連した検体である００４５−２が収納モニタ８１上に色により識別表示される。検体ラック番号００４５は検体ラックが収納１の上から２番目（太枠）に配置してあり、００４５−２つまり、検体ラック内の検体の左から２番目の試験管100であることが表示される。図にあっては縦線でハッチングを施しているが、実機にあっては前述のように色による識別表示とする。これはパニック値を超えた異常データであることを示す。同様に、横線を施した検体は標準値を超えた異常データを有し、ひし形を施した検体は異常値のないことを示す。白色丸はそこに試験管がないことを示す。
【００８５】
図１６は、初期設定画面に承認済データタグ７５を選択した場合の承認済データ画面である。画面上には前述した画面と同様に分注エラータグ７３，異常データタグ７４，承認済データタグ７５，全データタグ７６が表示される。承認済データ７５は他のタグから目立たさせるための識別表示される。該承認済データ画面には履歴データ９１が表示される。最上部領域の検索入力の検索ＳＥＱ６１，検体ＩＤ６２，氏名６３を入力して検索ボタン７２により検索すると、対応する検体の情報が表示される。画面には、栗原保のデータが選択され、そのデータが履歴データ９１上に表示されている例が示される。同様のことは全データタグ７６を選択しても行うことができる。
【００８６】
図１７は、初期設定画面に全データタグ７６を選択した場合の全データ画面である。画面上には前述した画面と同様に分注エラータグ７３，異常データタグ７４，承認済データタグ７５，全データタグ７６が表示される。全データタグ７６は他のタグから目立たさせるために識別表示される。該全データ画面には履歴データ９１が表示される。最上部領域の検索入力の検索ＳＥＱ６１，検体ID62，氏名６３を入力して検索ボタン７２により検索すると、対応する検体の情報が表示される。画面には、栗原保のデータが選択され、そのデータが履歴データ９１上に表示されている例が示される。
【００８７】
収納モニタ８１，履歴データ９１の横に精度管理タグ（図示せず）を設け、収納モニタ，履歴データに代えて精度管理データを表示し、精度管理を行うようにしてもよい。
【００８８】
以上説明したように、画面表示を構築することによって次に示すような機能を果すことができる。
【００８９】
○分注エラー（標準業務：未承認データの処理）
１次情報としての分注エラーの確認と２次情報の詳細は同時に見ることができる。
【００９０】
４次情報の親検体の収納場所確認の時に、２次情報の詳細を同時に見ることができる。適時操作する項目としての子検体（ラック登録）をする時に、２次情報の詳細を同時に見ることができる。このため、エラーに対する処置を効率よく、また、確実に行うことができる。
【００９１】
○異常データの確認（標準業務：未承認データの処理）
１次情報としての異常データの確認と２次情報の詳細は同時に見ることができる。
【００９２】
異常データの詳細確認をしたあとの操作は、患者履歴による確認（３次情報）をしてから、分析精度の確認（３次情報）、その後、親検体の収納場所確認（４次情報）と進むことができる。
【００９３】
各内容それぞれ（患者履歴，分析精度，親検体の収納場所）と異常データの詳細は、同時に見ることができる。
【００９４】
適時操作する項目としての子検体（ラック登録）をする時に、２次情報の詳細を同時に見ることができる。このため、異常データに対する処置を効率よく、また、確実に行うことができる。
【００９５】
○医師からの問い合わせ対応（優先業務）
問い合わせ患者の検索とその結果を１つの情報（１次情報）と考え、２次情報の承認済データの詳細確認と同時に見ることができる。
【００９６】
承認済データの詳細確認をしたあとの操作は、患者履歴による確認(３次情報)をしてから、分析精度の確認（３次情報）、その後、親検体の収納場所確認（４次情報）と進むことができる。
【００９７】
各内容それぞれ（患者履歴，分析精度，親検体の収納場所）と承認済データの詳細は、同時に見ることができる。
【００９８】
適時操作する項目としての子検体（ラック登録）をする時に、２次情報の詳細を同時に見ることができる。このため、医師からの問合せへの対応を効率よく、また、確実に行うことができる。
【００９９】
往来情報として見たい内容は、分注エラー，異常データ，承認済データを行き来できる。また、ワンボタンで簡単に表示切り換えできる。
【０１００】
常にモニタしておきたい項目として、各１次情報と、ラインモニタ，アラームメッセージ，メニューボタンが挙げられる。
【０１０１】
【発明の効果】
本発明によれば、問題の発生を知らせる１次情報としての分注エラーの発生と異常データの発生とデータの検索要求の表示を纏めて行って操作の中心となし、これを基に情報を階層にして同一画面に提示することができるから、正確に、早く、簡単に、医師に正しいデータを報告することのできる検体検査システムおよび検体検査方法を提供することができる。
【図面の簡単な説明】
【図１】検体処理システムの主要部の概念図。
【図２】検体処理システムの主要部の、処理ユニットを搬送ラインから切り離した状態を示す概念図。
【図３】検体処理システムのブロック概念図。
【図４】制御部のデータベース図。
【図５】制御部のデータベース図。
【図６】搬送先情報設定画面図。
【図７】記憶テーブル図。
【図８】搬送先情報設定画面図。
【図９】処理フローチャート図。
【図１０】処理フローチャート図。
【図１１】本発明の実施例の画面上作業フローチャート図。
【図１２】作業フローチャートと画面との関連を示す関連図。
【図１３】分注エラー画面図。
【図１４】異常データ画面図。
【図１５】異常データ画面図。
【図１６】承認済データ画面図。
【図１７】全データ画面図。
【符号の説明】
１ｂ…搬送ライン、１ａ…コア検体投入部、１ｃ…搬送ライン収納部、２…バッファーモジュール、３…遠心分離モジュール、４…開栓モジュール、５…オンライン分注モジュール、６…バーコード貼付モジュール、７…閉栓モジューリ、８…検体分類モジュール、９…オフライン分注モジュールまたは分析モジュール、１０…検体ラック、１１…一般検体架設部、１２…緊急検体架設部、１３…優先検体架設部、１４…デフォルトバッファー部、１５…読み取り部、１６…ラック取出しバッファー部、１７…中央制御部、２０…制御部、２０Ａ…記憶部、２１…操作入力部、２２…画面表示部、２３…通信ケーブル、２５…搬送先情報設定画面、３１…分注エラー処理、３２…異常データ処理、３３…問い合わせ対応、３４…１次情報、３５…２次情報、３６…３次情報、３７…４次情報、３８…常時画面表示、４１…分注エラーの発生、４２…異常データの発生、４３…データの検索要求、４６…分注エラーの詳細情報、４７…異常データの詳細確認情報、４８…承認済データの詳細確認情報、５１…患者履歴の確認情報、５２…患者履歴の確認情報、５３，５４，５５…親検体の収納場所確認情報、７３…分注エラータグ、７４…異常データタグ、７５…承認済データタグ、７６…全データタグ、８１…収納モニタ、８２…デフォルト、８３…収納１部、８４…収納２部、８５…検体ラック表示、８６…検体表示、９１…履歴データ、１００…検体表示。
【図１】
0004070312.tif 000002
【図２】
0004070312.tif 000003
【図３】
0004070312.tif 000004
【図４】
0004070312.tif 000005
【図５】
0004070312.tif 000006
【図６】
0004070312.tif 000007
【図７】
0004070312.tif 000008
【図８】
0004070312.tif 000009
【図９】
0004070312.tif 000010
【図１０】
0004070312.tif 000011
【図１１】
0004070312.tif 000012
【図１２】
0004070312.tif 000013
【図１３】
0004070312.tif 000014
【図１４】
0004070312.tif 000015
【図１５】
0004070312.tif 000016
【図１６】
0004070312.tif 000017
【図１７】
0004070312.tif 000018